(57)【要約】【課題】被挟持体Ｗに取り付けられた状態において、その被挟持体Ｗが細い又は薄い、太い又は厚いにかかわらず体裁よく取り付けることができる猫用爪とぎ器を提供する。【解決手段】爪とぎ具１と、爪とぎ具１の少なくとも一端部に設置される基体２と、この基体２に連結され、被挟持体Ｗを挟持するクランプ機構３を備えたものとしている。クランプ機構３は、基体２の基板２１の一方の固定板２２の後方に延設された挟持板２５との間隔を調節自在として、前記固定板２２に対向して設けられた移動挟持板３１との間に挟持空間Ｓを形成したものとし、前記挟持空間Ｓに被挟持体Ｗを配置して、挟持板２５と移動挟持板３１との間隔を調節することにより、この挟持空間Ｓに被挟持体Ｗを挟持するようにしている。【選択図】図２
2019208379.tif 000002
【特許請求の範囲】
【請求項１】
爪とぎ具（１）と、爪とぎ具（１）の少なくとも一端部に設置される基体（２）と、この基体（２）に連結され、被挟持体（Ｗ）を挟持するクランプ機構（３）を備えたものとし、クランプ機構（３）は、基体（２）の基板（２１）の一方の固定板（２２）の後方に延設された挟持板（２５）との間隔を調節自在として、前記固定板（２２）に対向して設けられた移動挟持板（３１）との間に挟持空間（Ｓ）を形成したものとし、前記挟持空間（Ｓ）に被挟持体（Ｗ）を配置して、挟持板（２５）と移動挟持板（３１）との間隔を調節することにより、この挟持空間（Ｓ）に被挟持体（Ｗ）を挟持するようにしていることを特徴とする猫用爪とぎ器。
【請求項２】
前記挟持板（２５）と移動挟持板（３１）との間隔を調節するには、前記固定板（２２）の貫通孔（２４）にネジ首まで貫通させた調節ボルト（５）のネジ部（５１）を、前記移動挟持板（３１）の連結部（３２）に設けたネジ孔（３３）に螺合させたものとしていることを特徴とする請求項１記載の猫用爪とぎ器。
【請求項３】
前記基体（２）の基板（２１）の後端にスライドレール（２６）を設け、このスライドレール（２６）に、前記移動挟持板（３１）の連結部（３２）に設けた係合溝（３４）を、この移動挟持板（３１）が移動自在となるように係合させたものとしていることを特徴とする請求項２記載の猫用爪とぎ器。
【発明の詳細な説明】
【技術分野】
【０００１】
本発明は、柱、扉、枠体等に設置できる猫用爪とぎ器に関するものである。
【背景技術】
【０００２】
従来、この種の猫用爪とぎ器としては、例えば本発明者が先に提案したものが存在する。この猫用爪とぎ器は、図７、８に示したように、爪とぎ具１０と、爪とぎ具１０の少なくとも一端部に設置される基体２０と、この基体２０に連結され、被挟持体Ｗを挟持するクランプ機構３０とを備えたものとしている。
【０００３】
このような猫用爪とぎ器において、クランプ機構３０は、固定部４０との間に連結部６０を介して挟持空間Ｓを形成し、固定部４０に対向配置される保持部５０と、保持部５０に設置されて固定部４０に向けて進退可能とし、固定部４０との間で被挟持体Ｗを挟持する押圧手段とを備えたものとしている。
【０００４】
そして、前記クランプ機構３０の保持部５０には、押圧手段を構成するボルト７０を螺合させるためのネジ孔Ｈが所定箇所に設けられている。また、ボルト７０の先端部には、被挟持体Ｗを安定した状態で押圧するために押さえ部７１を設置している（特許文献１）。
【０００５】
このようにして構成された猫用爪とぎ器は、図に示すようにして、被挟持体Ｗに取り付けられる。すなわち、猫用爪とぎ器を上下方向に取り付ける際には、爪とぎ具１０を上下方向に配置し、固定部４０と保持部５０との間の挟持空間Ｓに被挟持体Ｗを配置した状態とする。そして、ボルト７０を固定部４０側へ向けて螺入させ、このボルト７０の先端部の押さえ部７１と固定部４０によって被挟持体Ｗを挟持し固定するようにしている。
【先行技術文献】
【特許文献】
【０００６】
【特許文献１】特開２０１６−４１０３１号公報
【発明の概要】
【発明が解決しようとする課題】
【０００７】
しかしながら、上記従来の猫用爪とぎ器は、被挟持体Ｗに取り付けられた状態においては、図８に示したように、ボルト７０の頭部７２及びネジ部７３が保持部５０から突出している。このとき、被挟持体Ｗが細い場合や薄い場合には、ボルト７０のネジ部７３が保持部５０からそれほど突出しないが、被挟持体Ｗが太い場合や厚い場合には、ボルト７０のネジ部７３が保持部５０から大きく突出してしまう。
【０００８】
そのため、上記従来の猫用爪とぎ器では、被挟持体Ｗに取り付けられた状態において、ボルト７０のネジ部７３が保持部５０から突出した場合には、このネジ部７３が外観を悪くしたり、邪魔になったりするという問題点を有していた。さらに、被挟持体Ｗが太い場合や厚い場合には、ボルト７０のネジ部７３が保持部５０から大きく突出することになるので、猫用爪とぎ器を太い又は厚い被挟持体Ｗには体裁よく取り付けることができないという問題点を有していた。
【０００９】
そこで、本発明は、上記従来の問題点を解決することをその課題としており、被挟持体Ｗに取り付けられた状態において、その被挟持体Ｗが細い又は薄い、太い又は厚いにかかわらず体裁よく取り付けることができる猫用爪とぎ器を提供することを目的としてなされたものである。
【課題を解決するための手段】
【００１０】
そのため、本発明の猫用爪とぎ器は、爪とぎ具１と、爪とぎ具１の少なくとも一端部に設置される基体２と、この基体２に連結され、被挟持体Ｗを挟持するクランプ機構３を備えたものとしている。クランプ機構３は、基体２の基板２１の一方の固定板２２の後方に延設された挟持板２５との間隔を調節自在として、前記固定板２２に対向して設けられた移動挟持板３１との間に挟持空間Ｓを形成したものとし、前記挟持空間Ｓに被挟持体Ｗを配置して、挟持板２５と移動挟持板３１との間隔を調節することにより、この挟持空間Ｓに被挟持体Ｗを挟持するようにしている。
【００１１】
さらに、本発明の猫用爪とぎ器において、前記挟持板２５と移動挟持板３１との間隔を調節するには、前記固定板２２の貫通孔２４にネジ首まで貫通させた調節ボルト５のネジ部５１を、前記移動挟持板３１の連結部３２に設けたネジ孔３３に螺合させたものとしている。
【００１２】
また、本発明の猫用爪とぎ器において、前記基体２の基板２１の後端にスライドレール２６を設け、このスライドレール２６に、前記移動挟持板３１の連結部３２に設けた係合溝３４を、この移動挟持板３１が移動自在となるように係合させたものとしている。
【発明の効果】
【００１３】
本発明の猫用爪とぎ器は、以上に述べたように構成されているので、被挟持体Ｗに取り付けられた状態において、その被挟持体Ｗが細い又は薄い、太い又は厚いにかかわらず体裁よく取り付けることができるものとなった。
【図面の簡単な説明】
【００１４】
【図１】本発明の猫用爪とぎ器の実施形態を示す分解斜視図である。
【図２】図１に示す本発明の猫用爪とぎ器の斜視図である。
【図３】図１に示す本発明の猫用爪とぎ器を被挟持体である太い柱に取り付けた状態の平面図である。
【図４】図１に示す本発明の猫用爪とぎ器を被挟持体である細い柱に取り付けた状態の平面図である。
【図５】本発明の猫用爪とぎ器の他の実施形態を示す分解斜視図である。
【図６】図５に示す本発明の猫用爪とぎ器の斜視図である。
【図７】従来の猫用爪とぎ器を被挟持体である板状体に取り付けた状態の斜視図である。
【図８】従来の猫用爪とぎ器を被挟持体である円柱体に取り付けた状態の平面図である。
【発明を実施するための形態】
【００１５】
以下、本発明の猫用爪とぎ器の実施の形態を、図面に基づいて詳細に説明する。以下の実施形態は、被挟持体Ｗを柱等の角柱体に取り付けるものとして説明するが、これに限られることがないのは勿論である。例えば、被挟持体Ｗを扉、引き戸等の板状体、手すり、ポール等の円柱体、書棚等の枠体等に取り付けることもできる。
【００１６】
本発明の猫用爪とぎ器は、通常の使用において、柱等の角柱体である被挟持体Ｗの上下方向に取り付けられるものであって、床面側を猫用爪とぎ器の下方とし、天井側を上方とする。また、被挟持体Ｗの幅方向を猫用爪とぎ器の左右方向とする。
【００１７】
本発明の猫用爪とぎ器は、図に示すように、爪とぎ具１と、爪とぎ具１の少なくとも一端部に設置される基体２と、この基体２に連結され、被挟持体Ｗを挟持するクランプ機構３を備えたものとしている。
【００１８】
爪とぎ具１は、猫が自重をかけてぶら下がるようにして爪をといだり、寝ころんだりしながら爪をとぐことができるように長尺状に構成され、例えば、円柱状、角柱状等に形成される。また、爪とぎ具１の上下両端部には、基体２を設置するための取付孔１１が長手方向に沿って設けられる。
【００１９】
さらに、爪とぎ具１の表面部は、円柱状、角柱状等のベース部（図示しない）に、例えば、麻、布地、布製ロープ等を巻回して構成される。爪とぎ具１は、その他、段ボール、木製等から構成されるものであってもよく、表面部が猫の爪をとぐために適したものであれば、特に制限されるものではない。本実施形態においては、爪とぎ具１は、円柱状のベース部に麻が長手方向に沿って巻回されることで構成される。
【００２０】
基体２は、爪とぎ具１の少なくとも一端部に設置され、クランプ機構３を爪とぎ具１に対して固定するために設けられる。この基体２は、例えば、金属板、合成樹脂等からなり、略コ字状に折曲することにより基板２１の左右側端に固定板２２が形成されている。さらに、基体２の基板２１には、摘みボルト等の連結部材４を挿通させるための貫通孔２３が所定箇所に設けられている。この貫通孔２３は、爪とぎ具１がクランプ機構３との間隙を調整できるよう前後方向に伸びる長孔とすることが望ましい。また、基体２の一方の固定板２２には、貫通孔２４が設けられ、この固定板２２の後方には、挟持板２５が延設されている。なお、前記固定板２２は、基板２１から下方向にこの基板２１と垂直に形成したものとしたり、基板２１から上方向にこの基板２１と垂直に形成したものとすることができる。
【００２１】
基体２の外形の角部は、猫が怪我をしないように円弧状等に形成されることが望ましく、意匠性を向上させる観点から適宜の形状とすることができるのは勿論である。このような基体２は、爪とぎ具１の上下方向に対して直交するように配置した状態で、連結部材４によって爪とぎ具１に着脱可能に取り付けられる。これにより、爪とぎ具１が消耗した際には、上下位置を入れ替えたり、交換したりすることができる。
【００２２】
クランプ機構３は、被挟持体Ｗを挟持して爪とぎ具１を固定するために設けられている。このクランプ機構３は、基体２の基板２１の一方の固定板２２の後方に延設された挟持板２５との間隔を調節自在として、前記固定板２２に対向して設けられた移動挟持板３１との間に挟持空間Ｓを形成したものとしている。そして、前記挟持空間Ｓに被挟持体Ｗを配置して、挟持板２５と移動挟持板３１との間隔を調節することにより、この挟持空間Ｓに被挟持体Ｗを挟持するようにしている。
【００２３】
前記挟持板２５と移動挟持板３１との間隔を調節するには、前記固定板２２の貫通孔２４にネジ首まで貫通させた調節ボルト５のネジ部５１を、前記移動挟持板３１の連結部３２に設けたネジ孔３３に螺合させたものとしている。前記移動挟持板３１の連結部３２は、この移動挟持板３１を内方向に直角に折り曲げた第一折曲部３２ａと、この第一折曲部３２ａの端部から前方向に直角に折り曲げた第二折曲部３２ｂと、さらにこの第二折曲部３２ｂの端部から内方向に直角に折り曲げたフランジ部３２ｃとからなり、第二折曲部３２ｂに前記ネジ孔３３を設けたものとしている。前記ネジ孔３３は、第二折曲部３２ｂに直接、螺刻して設けたものとしてもよいが、図示したように第二折曲部３２ｂに通孔を設け、第一折曲部３２ａとフランジ部３２ｃの間に固着したナットＮのネジ孔３３を、前記通孔に合わすようにしてもよい。なお、前記挟持板２５と移動挟持板３１には、多数の孔２５ａ、３１ａを設けることにより、孔模様を施したものとしているが、基板２１にも、図示していないが、同様に孔模様を施したものとすることができる。また、前記多数の孔２５ａ、３１ａは、以下に述べるように、猫用爪とぎ器を被挟持体Ｗに強固に設置する場合にも有用なものとなる。
【００２４】
さらに、前記基体２の基板２１には、後端にスライドレール２６を設け、このスライドレール２６に、前記移動挟持板３１の連結部３２に設けた係合溝３４を、この移動挟持板３１が移動自在となるように係合させたものとしている。このようにすることにより、前記移動挟持板３１は、スライドレール２６に沿って安定した状態で移動することができる。そして、スライドレール２６は、基板２１の後端を、この基板２１の外面側に略コ字状に折り返したものとしている。また、係合溝３５は、第二折曲部３２ｂの端部を略Ｌ字状に切り欠いたものとしている。
【００２５】
本実施形態においては、クランプ機構３は、図３、４に示すように、被挟持体Ｗの前端部に爪とぎ具１が上下方向に位置するよう設置されており、爪とぎ具１に対して後方向に挟持空間Ｓの開口が位置するよう設置されたものとしているが、爪とぎ具１に対して左右方向に挟持空間Ｓの開口が位置するよう設置されたものとしてもよい。
【００２６】
調節ボルト５は、図示したような摘体５２を有した摘みボルトとするのが、その摘体５２を手指で回すことにより、挟持操作が簡単に行なえるので好ましいが、六角ボルト、四角ボルト、六角穴付丸頭ボルト、六角穴付皿ボルト等とすることもできる。なお、調節ボルト５は、図示したものではようにネジ首までネジ部５１が設けられたものとしているが、ネジ首から少し離れた位置までネジ部５１が設けられたものとしてもよい。
【００２７】
そして、本発明の猫用爪とぎ器は、実施形態においては、爪とぎ具１を縦にして、その上下両端部に設置されており、図１、２に示したものでは、上下の基体２をそれぞれ同一形状としたものとしているが、図５、６に示したように、上下の基体２をそれぞれ対象形状とすることもできる。上下の基体２を同一形状とした場合には、これら基体２を共通部品とすることができ、コストの削減、商品の管理等を容易に行うことができる。
【００２８】
さらに、本発明の猫用爪とぎ器は、実施形態のように、爪とぎ具１を縦にして、その上下両端部に設置されるものに限られることなく、爪とぎ具１を横にして、その左右端部に設置されるものとしてもよいことは言うまでもない。
【００２９】
以上のように構成された本発明の猫用爪とぎ器は、図３、４に示したようにして、被挟持体Ｗに取り付けられる。すなわち、猫用爪とぎ器を上下方向に取り付けるには、爪とぎ具１を上下方向に配置し、挟持板２５と移動挟持板３１との間の挟持空間Ｓに被挟持体Ｗを配置する。そして、調節ボルト５のネジ部５１を連結部３２のネジ孔３３にねじ込んでいく。すると、基板２１に設けたスライドレール２６に、移動挟持板３１の連結部３２に設けた係合溝３４が係合した状態で移動挟持板３１が移動し、この移動挟持板３１と挟持板２５との間隔を狭めていき、被挟持体Ｗを挟持することにより固定され、この被挟持体Ｗに取り付けられる。そして、被挟持体Ｗに対して猫用爪とぎ器を強固に固定する場合には、挟持板２５と移動挟持板３１に設けた多数の孔２５ａ、３１ａの何れかからネジをねじ込んだり、釘を打ちつけるなどすればよい。
【００３０】
このようにして本発明の猫用爪とぎ器を被挟持体Ｗに取り付けた場合には、図３に示したように、被挟持体Ｗが太い又は厚い場合においても、図４に示したように、被挟持体Ｗが細い又は薄い場合においても、調節ボルト５のネジ部５１は、基体２の外側に突出することなく、これら被挟持体Ｗに体裁よく取り付けることができる。
【符号の説明】
【００３１】
１  爪とぎ具
２  基体
３  クランプ機構
５  調節ボルト
２１  基板
２２  固定板
２４  貫通孔
２５  挟持板
２６  スライドレール
３１  移動挟持板
３２  連結部
３３  ねじ孔
３４  係合溝
５１  ネジ部
Ｓ  挟持空間
Ｗ  被挟持体
【図１】
2019208379.tif 000003
【図２】
2019208379.tif 000004
【図３】
2019208379.tif 000005
【図４】
2019208379.tif 000006
【図５】
2019208379.tif 000007
【図６】
2019208379.tif 000008
【図７】
2019208379.tif 000009
【図８】
2019208379.tif 000010